(57)【要約】      （修正有）【課題】これから撮影するシーンの前後のシーンがどのようなシーンかを確認することが容易になるとともに、撮影済みのシーンの確認と未撮影シーンの撮影とを、同じ一覧表示から実行することが可能となる撮影装置およびその制御方法を提供する。【解決手段】シナリオを構成するシーンの一覧において選択されたシーンが撮影済みのシーンであれば、選択された撮影済みのシーンを再生し、選択されたシーンが未撮影のシーンであれば、選択された未撮影のシーンを撮影するための撮影待機状態になる。【選択図】図２
2015002417.tif 000002
【特許請求の範囲】
【請求項１】
動画像を撮影する撮影手段と、
複数のシーンによって１つのシナリオを構成するためのシナリオデータであって、前記撮影手段により撮影された動画像を前記シナリオにおける複数のシーンのいずれかに関連づけて管理するデータを保持する保持手段と、
前記シナリオデータを用いて、前記シーンを示す情報の一覧を表示部に表示するよう制御する表示制御手段と、
前記表示部に表示される前記一覧から、いずれかのシーンを選択する選択手段と、
前記選択手段により選択されたシーンが撮影済みのシーンであれば、当該選択された撮影済みのシーンを再生し、前記選択手段により選択されたシーンが未撮影のシーンであれば、選択された当該未撮影のシーンを撮影するための撮影待機状態になるように制御する制御手段とを有するとことを特徴とする撮影装置。
【請求項２】
前記未撮影のシーンを選択して、当該未撮影のシーンを撮影するための撮影待機状態になった後に撮影して得られた動画像データは、前記選択されたシーンに関連付けてメモリに記録する記録手段をさらに有することを特徴とする請求項１に記載の撮影装置。
【請求項３】
前記一覧では、撮影済みのシーンと未撮影のシーンとが識別可能に表示されることを特徴とする請求項１または２に記載の撮影装置。
【請求項４】
前記表示制御手段は、前記一覧において、前記未撮影のシーンを示す情報として、説明文、イラスト、写真の少なくともいずれか一つを表示し、前記撮影済みのシーンを示す情報として、撮影された動画像に対応した代表画像を表示することを特徴とする請求項１ないし３のいずれか１項に記載の撮影装置。
【請求項５】
前記制御手段は、前記選択手段により前記撮影済みのシーンが選択され、選択されたシーンの後方に未撮影のシーンがある場合は、選択されたシーンの終盤部分の所定時間を再生し、
前記選択手段により前記撮影済みのシーンが選択され、選択されたシーンの前方に未撮影のシーンがある場合は、選択されたシーンの先頭部分の所定時間を再生することを特徴とする請求項１ないし４のいずれか１項に記載の撮影装置。
【請求項６】
最後に撮影したシーンを再生する場合には、前記最後に撮影されたシーンの前または後のシーンの少なくとも一部も再生することを特徴とする請求項１ないし５のいずれか１項に記載の撮影装置。
【請求項７】
前記選択手段により前記撮影済みのシーンが選択された場合に、前記表示制御手段は、選択されたシーンの再撮影を指示するための指示画面を表示部に表示し、
前記再撮影の指示がなされた場合には、前記制御手段は、選択されたシーンの再撮影をする為の待機状態に移行するように制御することを特徴とする請求項１ないし６のいずれか１項に記載の撮影装置。
【請求項８】
さらに前記所定時間を指定する指定手段を有することを特徴とする請求項５に記載の撮影装置。
【請求項９】
複数のシーンによって１つのシナリオを構成するためのシナリオデータであって、撮影された動画像を前記シナリオにおける複数のシーンのいずれかに関連づけて管理するデータを保持する保持手段を有する撮影装置の制御方法であって、
前記シナリオデータを用いて、前記シーンを示す情報の一覧を表示部に表示するよう制御する表示制御工程と、
前記表示部に表示される前記一覧から、いずれかのシーンを選択する選択工程と、
前記選択工程により選択されたシーンが撮影済みのシーンであれば、当該選択された撮影済みのシーンを再生し、前記選択工程により選択されたシーンが未撮影のシーンであれば、選択された当該未撮影のシーンを撮影するための撮影待機状態になるように制御する制御工程とを有するとことを特徴とする制御方法。
【発明の詳細な説明】
【技術分野】
【０００１】
本発明は、動画像を撮影する撮影装置およびその制御方法に関するものである。
【背景技術】
【０００２】
近年、デジタルビデオカメラや、動画像撮影機能付きデジタルスチルカメラ、動画像撮影機能付き携帯電話の普及により誰でも動画像を簡単に記録出来るようになってきた。しかし、動画像は行き当たりばったりで撮影してもよい出来栄えの作品とはならない。その為、ある程度ストーリーに沿って計画的に撮影する事がよい出来栄えの作品を撮影する上では重要となる。しかし、計画的な撮影は相当のテクニックが必要であり、誰でも容易に行う事ができなかった。
【０００３】
このような背景において、シナリオ情報及びシナリオを構成する複数のシーンにつけられたシーンの撮影情報を表示部に表示し、撮影のアシストをする機能が提案されている（特許文献１）。
【先行技術文献】
【特許文献】
【０００４】
【特許文献１】特開２００６−７４４０６号公報
【発明の概要】
【発明が解決しようとする課題】
【０００５】
例えば、複数のシーンをつなげてストーリー性を持たせた作品を作ろうとして、そのうちのある１シーンを撮影する際、前後のシーンがどのような画像であるかを把握していた方が、シーンのつながりを意識した撮影が可能となり有利であろう。しかしながら、これまでは、これから撮影するシーンの前後のシーンがどのようなシーンであったかを確認する為には、一度再生モードに入れ、前後のシーンを確認し、再度撮影モードに戻す必要があった。この為、前後のシーンを確認する操作が非常に煩わしいという問題がある。また、カメラモードから再生モードへモード切り替えを行う為、レスポンスが悪く、シーンの確認と撮影操作との間の移行には時間がかかるという問題点があった。
【０００６】
また、シナリオの中でどのシーンが未撮影で有るのかを確認して、さらにその未撮影のシーンの撮影の為に、前後の撮影済のシーンがどのようなシーンであったかを確認するための操作は、非常に面倒であった。
【課題を解決するための手段】
【０００７】
上記の課題を解決するため、本発明の撮影装置は、動画像を撮影する撮影手段と、複数のシーンによって１つのシナリオを構成するためのシナリオデータであって、撮影手段により撮影された動画像をシナリオにおける複数のシーンのいずれかに関連づけて管理するデータを保持する保持手段と、シナリオデータを用いて、シーンを示す情報の一覧を表示部に表示するよう制御する表示制御手段と、表示部に表示される一覧から、いずれかのシーンを選択する選択手段と、選択手段により選択されたシーンが撮影済みのシーンであれば、選択された撮影済みのシーンを再生し、選択手段により選択されたシーンが未撮影のシーンであれば、選択された未撮影のシーンを撮影するための撮影待機状態になるように制御する制御手段とを有するとことを特徴とする。
【発明の効果】
【０００８】
上記の手段によれば、これから撮影するシーンの前後のシーンがどのようなシーンかを確認することが容易になるとともに、撮影済みのシーンの確認と未撮影シーンの撮影とを、同じ一覧表示から実行することが可能となり、操作が簡単となる。
【図面の簡単な説明】
【０００９】
【図１】実施形態を実現するための撮影装置の要部を示すブロック図
【図２】第１の実施形態におけるフローチャート
【図３】第１の実施形態におけるシナリオデータ
【図４】第１の実施形態におけるユーザーインタフェース
【図５】第２の実施形態におけるフローチャート
【図６】第２の実施形態におけるユーザーインタフェース
【図７】第３の実施形態におけるフローチャート
【図８】第３の実施形態におけるフローチャート
【図９】第３の実施形態におけるユーザーインタフェース
【発明を実施するための形態】
【００１０】
以下、本発明の実施の形態の一例を図面を参照しながら詳述する。
【００１１】
＜第１の実施形態＞
図１は、撮影装置の内部構成の一例を示すブロック図である。
【００１２】
図１において、撮影装置１１１は、マイコン１０１、ＲＯＭ１０２、ＲＡＭ１０３、撮影部１０４、画像処理部１０５、記録媒体１０６、表示部１０７、操作部１０８、リモコン受信部１０９、タッチセンサー１１０からなる。
【００１３】
マイコン１０１は、ＲＯＭ１０２に格納されるプログラムを読み出して実行することで、撮影装置１１１のシステム全体の制御を行なうマイクロコンピュータであり、また表示部に表示する内容を制御する表示制御も司る。ＲＯＭ１０２、ＲＡＭ１０３は各種のプログラムや画像等のデータを保持する領域をもつ。ＲＯＭ１０２は不揮発性のメモリであり、ＲＡＭ１０３は揮発性メモリである。ＲＯＭ１０２には、マイコン１０１が動作する為のプログラムやシナリオデータ、シナリオのシーンに対応するイメージデータが記録されている。ＲＡＭ１０３は、マイコン１０１が撮影装置１１１を制御する際、作業領域として使用される。また、撮影装置１１１がどのような設定をされているか、どのように動作しているか等、各種の設定情報を保持する。ＲＡＭ１０３に保存される設定情報としては、撮影装置１１１が、撮影モードで動作しているか、再生モードで動作しているかなどのモード情報、通常撮影モードで動作しているか、シナリオ撮影モードで動作しているか等の撮影モード情報などがある。
【００１４】
撮影部１０４は、イメージセンサやレンズ、絞り機構を備えており、被写体像をデータ信号に変換し、マイコン１０１からの指示により画像データを生成し、画像処理部１０５へ出力する。画像処理部１０５は、撮影部１０４で生成された画像データのリサイズや輝度補正、圧縮処理などを行い、記録媒体１０６に出力する。また、記録媒体１０６より入力される圧縮された画像データをデコードする。記録媒体１０６は、画像処理部で得られた画像データを記録する。また、圧縮され保存されている画像データを画像処理部１０５に出力する。記録媒体１０６は、例えば、ＳＤカード（登録商標）等のメモリーカード、Ｆｌａｓｈメモリ、ハードディスクなどがあげられる。表示部１０７は、液晶ディスプレイなどにより構成される。表示部１０７には、撮影部１０４で撮影された画像データや、アイコンなどが表示される。操作部１０８は、撮影部１０４による撮影や、電源のＯＮ・ＯＦＦ切り替え信号をマイコン１０１に出力する。リモコン受信部１０９は、ユーザーのリモコン操作信号を受信してマイコン１０１に出力する。タッチセンサー１０９は、使用者が接触した座標をマイコン１０１に出力する。マイコン１０１は、座標より使用者が表示部１０７に表示されているどのアイコンを接触したかを判断して、撮影装置１１１の状態遷移指示、撮影パラメータの変更などを行う。状態遷移指示とは、例えばデジタルビデオカメラの場合、記録媒体から画像データの読み込みを行う再生モードから記録媒体へ書き込みを行う撮影モードへの状態遷移指示を行うことである。また、撮影パラメータの変更とは、撮影モードにおける撮影条件を変更することである。例えば動画像ファイルのビットレートの変更や、解像度の変更、あるいは、ポートレートモードや風景モード、スポーツモード、シナリオモード等、撮影モードにおける動作モードの変更である。
【００１５】
次に図２のフローチャートを用いて、本撮影装置が、シナリオ撮影モードから、選択されたシーンを再生／記録するまでの一連の処理について説明する。
【００１６】
Ｓ２０１では、マイコン１０１はＲＡＭ１０３に保持されている情報を元に撮影装置が撮影モードで動作しているか、再生モードで動作しているかを判断する。撮影モードで動作している時はＳ２０２へ進む。また、再生モードで動作している時は終了する。
【００１７】
Ｓ２０２では、マイコン１０１はＲＡＭ１０３に保持されている情報を元に撮影装置がシナリオ撮影モードで動作しているか、その他の撮影モードで動作しているかを判断する。シナリオ撮影モードで動作している時はＳ２０３へ進む。また、通常撮影モードで動作している時は終了する。
【００１８】
ここで、シナリオ撮影モードとは、撮影された動画像データとシナリオデータのシーン情報と関連づけて記録するモードである。
【００１９】
シナリオデータの一例を図３に示す。１つのシナリオは、複数のシーンで構成されており、各シーンをシナリオで規定した順につなげて再生することで１つの作品となるようにシナリオデータとして管理されている。この様なシナリオデータは、作品名３０１、シーンＮｏ３０２、シーンの関連情報（シーンの名称や撮影ガイダンスなど）３０３、画像Ｎｏ３０４の要素を持っている。このシナリオデータは、例えば誕生日会を撮影する際は、シーンの関連情報（シーンの名称や撮影ガイダンスなど）３０３に従って代表的な複数のシーンを撮影し、これらをつなげて再生することで、ストーリー性のある映像が出来ると期待できる。例えば図３の例では、“主役入場”のシーン、“プレゼント交換”のシーン、“ケーキ消灯”のシーン、“記念撮影”のシーン、“みんなでゲーム”の各シーンを撮影すると、見栄え良く、ストーリ性のある動画像を作成できることが期待できる。
【００２０】
このようなシナリオデータを用いて、シーンの関連情報３０３の構成で、誕生日会を撮影する事をシナリオ撮影モードという。また、画像Ｎｏ３０４は、シーンの関連情報３０３に対応した画像は何番目のシーンか、もしくは未撮影である旨を記録する領域である。なおシーンの関連情報には、シーンのタイトルでも良いし、シーンの説明文や、撮影方法のガイダンスや撮影条件を示す説明文でも良い。
【００２１】
図３では、主役入場は３番目のシーンが対応している、プレゼント交換は２番目のシーンが対応している、“ケーキ消灯”は未撮影、記念撮影は１番目のシーンが対応している、みんなでゲームは未撮影という状態である。この画像Ｎｏ３０４は、例えば、ＡＶＣ−ＨＤならば、リアルプレイリストのＳｈｏｔ番号でもよいし、ＭＴＳのファイル名の番号（ＸＸＸＸＸ．ｍｔｓのＸＸＸＸＸＸの部分）でもよい。この情報は、記録媒体１０６に画像と共に記録されている。シナリオ撮影モードで撮影された際、このシナリオデータは、画像と関連付けされて記録媒体１０６に保存される。このシナリオデータは、マウント時、マイコン１０１が、記録媒体１０６を制御して、シナリオデータをＲＡＭ１０３に展開する。また、“ケーキ消灯”のシーンを４シーン目として撮った場合は、マイコン１０１は、ＲＡＭ１０３に展開されているシナリオデータの“ケーキ消灯”の画像Ｎｏを「−」から「４」に変更する。その後、マイコン１０１は、ＲＡＭ１０３に展開されているシナリオデータを記録媒体１０６を制御して書き戻す。なお通常撮影モードは、シナリオデータを用いない撮影モードであり、前述のようなシナリオデータの編集を行わない撮影モードである。
【００２２】
Ｓ２０３では、マイコン１０１は、対応するシナリオデータの撮影済みシーンについては、記録媒体１０６を制御して、記録媒体１０６に保存されている撮影済みシーンの一部を画像処理部１０５に出力する。その後マイコン１０１は、画像処理部１０５を制御して、撮影済みシーンに対応させて、代表画像（例えば先頭フレームを縮小したサムネイル）を表示部１０７に表示する。また、未撮影シーンについては、マイコン１０１は、ＲＯＭ１０２を制御して、対応するシナリオのシーンに対応するイメージデータを画像処理部１０５に出力する。その後、マイコン１０１は、画像処理部１０５を制御して、未撮影シーンのイメージデータを表示部１０７に表示する。この未撮影シーンに対応した画像は予め記憶するイラストまたは写真でも良いし、文字情報でも良い。
【００２３】
この際、表示部１０７に表示される画面の一例を図４（Ａ）に示す。ここでは撮影装置は撮影モードであり、背景には現在撮影部から出力されているライブ画像が表示されている。そして、シナリオを構成する複数のシーンに対応させた関連情報が、一覧としてに表示されている。
【００２４】
そして、４０２、４０３に示すように、“主役登場”、“プレゼント交換”、“記念撮影”の各シーンは撮影済みであり、“ケーキ消灯”のシーンのシーンは未撮影状態である。４０１に示すように画面上部にこれから撮影しようとする作品名を表示している。また、４０４、４０６に示すように、撮影済みのシーンについては、撮影されたシーンに対応した代表画像を表示する。この代表画像は、画像データに関連付けて記録されているサムネイル画像でも良いし、画像データの一部（例えば先頭フレームや撮影開始から５秒後の画像等）を抽出して生成された画像でも良い。
【００２５】
また、４０５に示すように未撮影のシーンについては、対応するシナリオのシーンに対応するイメージデータ（イラストや文字画像でも良い）を表示する。表示した代表画像、もしくはイメージデータの上部には４０２、４０３に示すように対象シーンは撮影済みか、もしくは未撮影かが識別可能に表示する。また、４０７に示すように代表画像、もしくはイメージデータの下部には、シーンの関連情報３０３を表示する。ユーザーは表示部１０７を見ながら、タッチセンサー１１０にタッチする。タッチセンサー１１０は、マイコン１０１に対してどの領域にタッチされたかを出力する。この出力情報を元に、マイコン１０１は表示部１０７の表示領域とタッチセンサー１１０のタッチされた領域を比較してどのシーンが選択されたかを判断する。例えば４０４がタッチされた際は“主役登場”のシーンがタッチされた、４０５がタッチされた際は“プレゼント交換”のシーンがタッチされたと判断する。また、シーン選択は、リモコン受信部１０９を通じてリモコン操作で選択する事も可能である。この際、リモコン受信部１０９は、リモコンより、リモコンコードを受信して、マイコン１０１にリモコン情報を出力する。マイコン１０１はリモコン受信部１０９より入力されたリモコンコードより、どのシーンが選択されているかを判断する。その後、Ｓ２０４にすすむ。
【００２６】
Ｓ２０４では、マイコン１０１は、Ｓ２０３にて、ユーザーが撮影済みのシーンを選択したか、未撮影のシーンを選択したかを判断する。撮影済みシーンが選択された場合はＳ２０５へ進む。また、未撮影のシーンが選択された場合はＳ２１０に進む。
【００２７】
Ｓ２０５では、マイコン１０１は、Ｓ２０３で選択されたシーンの前方に未撮影のシーンがあるかを判断する。未撮影のシーンがある場合はＳ２０７へ進む。また、未撮影のシーンがない場合はＳ２０６へ進む。前方に未撮影のシーンがあるかという判断を、図３、図４（Ａ）を使用して説明する。誕生日会という作品は、３０３に示すように、“主役入場”、“プレゼント交換”、“ケーキ消灯”、“記念撮影”、“みんなでゲーム”という計５つのシーンで構成されている。記録メディア１０６内に、“主役登場”、“プレゼント交換”、“記念撮影”、の３シーンが記録済みで、Ｓ２０３でユーザーが“記念撮影”を選ぶと、“記念撮影”の前方の“ケーキ消灯”のシーンは未撮影で、マイコン１０１は前方に未撮影のシーンがあると判断する。また、それ以外を選んだ場合は、マイコン１０１は、前方に未撮影のシーンがないと判断することとなる。
【００２８】
Ｓ２０６では、マイコン１０１は、Ｓ２０３で選択されたシーンの後方に未撮影のシーンがあるかを判断する。未撮影のシーンがある場合はＳ２０８へ進む。また、未撮影のシーンがない場合はＳ２０９へ進む。後方に未撮影のシーンがあるかという判断を、図３、図４（Ａ）を使用して説明する。ＲＡＭ１０３に展開されているシナリオデータをもとに、Ｓ２０３でユーザーが“プレゼント交換”を選んだ場合は、後方のシーンは“ケーキ消灯”で未撮影の為、マイコン１０１は後方に未撮影シーンがあると判断する。また、“記念撮影”を選んだ際も後方の“みんなでゲーム”は未撮影の為、マイコン１０１は後方に未撮影シーンがあると判断する。それ以外を選んだ際は、マイコン１０１は後方に未撮影シーンがないと判断する。
【００２９】
Ｓ２０７では、マイコン１０１は、ＲＡＭ１０３に保存されているシナリオデータを元に、何番目のシーンを再生すれば良いかを判断する。その後、記録媒体１０６を制御して、判断したシーンの先頭部の所定時間の画像データを画像処理部１０５に出力する。なお、所定時間は、ＲＡＭ１０２に保存されている時間でもよいし、マイコン１０１が画像処理部１０５を制御して表示部１０７に何秒再生するかをユーザーが選択するＵＩを出した後、ユーザーが入力した値の秒数を再生してもよい。この時必ずしも先頭フレームを表示しなくても良い。しかしこの様な処理により、シーンの先頭付近ではどのような映像であったかを認識することが出来、この再生したシーンより前方のシーンを撮影する場合には、次のシーンとのつながりを意識した撮影に役立てることが出来る。そして画像処理部１０５は入力された画像データをデコードして、表示部１０７にデコード後の画像データを所定時間表示し、その後Ｓ２０３に移行する。
【００３０】
Ｓ２０８では、マイコン１０１は、ＲＡＭ１０３に保存されているシナリオデータを元に、何番目のシーンを再生すれば良いかを判断する。その後、記録媒体１０６を制御して、判断したシーンの終盤部分の所定時間の画像データを画像処理部１０５に出力する。この時必ずしも最終フレームを再生する必要は無く終盤部分の一部でも良い。画像処理部１０５は入力された画像データをデコードして、表示部１０７にデコード後の画像データを表示する。その後Ｓ２０３に移行する。この様な処理により、シーンの終盤付近ではどのような映像であったかを認識することが出来、この再生したシーンより後方のシーンを撮影する場合には、前のシーンとのつながりを意識した撮影に役立てることが出来る。
【００３１】
Ｓ２０９では、マイコン１０１は、ＲＡＭ１０３に保存されているシナリオデータを元に、何番目のシーンを再生すれば良いかを判断する。その後、記録媒体１０６を制御して、判断したシーン全ての画像データを画像処理部１０５に出力する。画像処理部１０５は入力された画像データをデコードして、表示部１０７にデコード後の画像データを表示する。その後Ｓ２０３に移行する。
【００３２】
Ｓ２１０では、Ｓ２０３で選択されたシーンのシナリオ撮影モードに遷移する。例えば、Ｓ２０３で選択されたシーンが“ケーキ消灯”の際は、マイコン１０１は画像処理部１０５を制御して表示部１０７に図４（Ｂ）のようなＵＩを表示したのち、“ケーキ消灯”とこれから撮影するシーンが関連付けされる撮影モードに入る。こうして得られた動画像データと、シナリオにおけるシーンとの関連付けの方法としては、Ｓ２０２に示した通りである。この際、４０８に示すように画面の下部にこれからどのシーンを撮影するかを表示する。その後Ｓ２０３に移行する。
【００３３】
＜第２の実施形態＞
次に図５のフローチャートを用いて、本撮影装置がシナリオ再生モードに入っている際、シーンＩＮＤＥＸ表示状態から、選択されたシーンを再生／記録するまでの一連の処理について説明する。
【００３４】
Ｓ５０１では、マイコン１０１はＲＡＭ１０３に保持されている情報を元に撮影装置が撮影モードで動作しているか、再生モードで動作しているかを判断する。再生モードで動作している時はＳ５０２へ進む。また、撮影モードで動作している時は終了する。
【００３５】
Ｓ５０２では、マイコン１０１はＲＡＭ１０３に保持されている情報を元に撮影装置がシナリオ再生モードで動作しているか、その他の再生モードで動作しているかを判断する。
【００３６】
シナリオ再生モードかその他の再生モードかの切替は、不図示のメニューを用いて、ユーザが選択する可能となっており、この再生モードの状態を示す情報が、ＲＡＭ１０３に保持されており、マイコン１０１は、この情報に基づき判断する。
【００３７】
シナリオ再生モードで動作している時は、マイコン１０１は記録媒体１０６を制御して、シナリオデータをＲＡＭ１０３に展開する。その後、マイコン１０１はＲＡＭ１０３に展開させたシナリオデータを解析し、シーンＮｏと画像Ｎｏの対応表をＲＡＭ１０３に作成し、Ｓ５０８へ進む。また、その他の再生モードで動作している時はこの処理は終了する。
【００３８】
Ｓ５０３では、、イコン１０１は、対応するシナリオデータの撮影済みシーンについては、記録媒体１０６を制御して、記録媒体１０６に保存されている撮影済みシーンの一部を画像処理部１０５に出力する。その後マイコン１０１は、画像処理部１０５を制御して、撮影済みシーンに対応した代表画像を表示部１０７に表示する。この代表画像は、画像データに関連付けて記録されているサムネイル画像でも良いし、画像データの一部（例えば先頭フレーム）を抽出し、縮小処理により生成された画像でも良い。
【００３９】
また、未撮影シーンについては、マイコン１０１は、ＲＯＭ１０２を制御して、対応するシーンに対応するイメージデータを画像処理部１０５に出力する。この未撮影シーンに対応した画像は予め記憶するイラストまたは写真でも良いし、文字情報でも良い。その後、マイコン１０１は、画像処理部１０５を制御して、未撮影シーンのイメージデータを表示部１０７に表示する。
【００４０】
図３のシナリオデータが記録媒体１０６に保存されている際、表示部１０７に表示される画面の一例を図６（Ａ）に示す。
【００４１】
６０１に示すように画面上部にこれから撮影しようとする作品名を表示し、シナリオの各シーンの関連情報の一覧を表示する。例えば、６０４に示すように、撮影済みのシーンについては、撮影した画像に対応した代表画像を表示する。また、６０５に示すように未撮影のシーンについては、対応するシナリオのシーンに対応するイメージデータを表示する。表示した代表画像、もしくはイメージデータの上部には６０２、６０３に示すように対象シーンは撮影済みか、もしくは未撮影かが識別可能なように表示する。また、６０７に示すように代表画像、もしくはイメージデータの下部には、シーンの関連情報（シーンの名称や撮影ガイダンスなど）３０３を表示する。
【００４２】
ユーザーは表示部１０７を見ながら、タッチセンサー１１０にタッチする。タッチセンサー１１０は、マイコン１０１に対してどの領域にタッチされたかを出力する。この出力情報を元に、マイコン１０１は表示部１０７の表示領域とタッチセンサー１１０のタッチされた領域を判断して。Ｓ５０８に移行する。
【００４３】
例えば６０４がタッチされた際は“主役登場”のシーンがタッチされた、６０５がタッチされた際は“ケーキ消灯”がタッチされたと判断する。なお、シーン選択は、リモコン受信部１０９を通じてリモコン操作で選択する事も可能である。この際、リモコン受信部１０９は、リモコンよりリモコンコードを受信して、マイコン１０１にリモコン情報を出力する。マイコン１０１はリモコン受信部１０９より入力されたリモコンコードより、どのシーンが選択されているかを判断する。
【００４４】
Ｓ５０８では、ユーザがタッチした領域が、シナリオ全部再生ボタン６０８であるか否かを判断する。もし、シナリオ全部再生ボタン６０８をユーザが指示した場合には、未撮影のシーンは飛ばし、撮影済みのシーンを、シナリオの順番に再生する。例えば、図３の例では、“主役入場”→“プレゼント交換”→“記念撮影”の順に再生する為、画像Ｎｏ３→画像Ｎｏ２→画像Ｎｏ１の順に再生する。
【００４５】
これに対して、その他の再生モードではシナリオの順番とは関係なく、例えばＡＶＣ−ＨＤ形式の画像であればリアルプレイリストのＳｈｏｔ順に再生する。図３のような状態であれば、“記念撮影”→“プレゼント交換”→“主役入場”と再生していく。
【００４６】
Ｓ５０４では、マイコン１０１は、Ｓ５０３にて、ユーザーが撮影済みのシーンを選択したか、未撮影のシーンを選択したかを判断する。撮影済みシーンが選択された場合はＳ５０５へ進む。また、未撮影のシーンが選択された場合はＳ５０６に進む。
【００４７】
Ｓ５０５では、マイコン１０１は、ＲＡＭ１０３に保存されているシナリオデータを元に、何番目のシーンより再生を開始すれば良いかを判断する。その後、記録媒体１０６を制御して、判断したシーン全ての画像データとその後、再生すべき画像データを画像処理部１０５に出力する。画像処理部１０５は入力された画像データをデコードして、表示部１０７にデコード後の画像データを表示する。例えば、図３のようなシナリオデータにおいて、“プレゼント交換”が選択された場合は、“”プレゼント交換“のシーンを再生し、その後、Ｓ５０１に戻る。
【００４８】
Ｓ５０６では、マイコン１０１、撮影部１０４、画像処理部１０５、記録媒体１０６をカメラモードに遷移させ、撮影装置１１１を撮影モードへ遷移させる。その後Ｓ５０７へ進む。
【００４９】
Ｓ５０７では、Ｓ５０４で選択されたシーンのシナリオ撮影モードに遷移する。例えば、Ｓ５０３で選択されたシーンが“ケーキ消灯”の場合は、マイコン１０１は画像処理部１０５を制御して表示部１０７に図６（Ｂ）のようなＵＩを表示して、撮影待機状態になる。ここで撮影処理が実行されて撮影が終了すると、得られた画像データは、“ケーキ消灯”のシーンＮｏと関連付けされる。関連付けの方法としては、Ｓ２０２に示した通りである。この際、６０８に示すように画面の下部にこれからどのシーンを撮影するかを表示する。このシーンの再生が終了すると、Ｓ５０３へ移行する。
【００５０】
この様に、再生モードでシナリオの各シーンを確認することが可能なＵＩから、未撮影シーンの撮影に簡単に移行可能となる。そして、各シーンの確認によりシーンの変わり目やシナリオ全体の雰囲気を認識しながら、未撮影シーンの撮影を行うのに、非常に便利である。
【００５１】
＜第３の実施形態＞
第１の実施形態では、これから撮影するシーンの構成を考える為に撮影済みのシーンを再生していた。しかし、撮影後、カメラモードで撮影したシーンが所望通り撮影できているかを確認した後、再度、同じのシーンを撮影しなおす事が出来なかった。
【００５２】
そこで第３の実施例で、図７のフローチャートを用いて、本撮影装置が、シナリオ撮影した後、撮影したシーンを再生確認して、再度同じシーンを撮影するまでの一連の処理について説明する。
【００５３】
Ｓ７０１では、マイコン１０１はＲＡＭ１０３に保持されている情報を元に撮影装置が撮影モードで動作しているか、再生モードで動作しているかを判断する。撮影モードで動作している時はＳ７０２へ進む。また、再生モードで動作している時は終了する。
【００５４】
Ｓ７０２では、マイコン１０１はＲＡＭ１０３に保持されている情報を元に撮影装置がシナリオ撮影モードで動作しているか、その他の撮影モードで動作しているかを判断する。シナリオ撮影モードで動作している時はＳ７０３へ進む。また、その他の撮影モードで動作している時は、この真の再撮影処理に関するフローは終了する。なお、この判断はＳ２０２と同様である。
【００５５】
Ｓ７０３では、マイコン１０１は、対応するシナリオデータの撮影済みシーンについては、記録媒体１０６を制御して、記録媒体１０６に保存されている撮影済みシーンの一部を画像処理部１０５に出力する。その後マイコン１０１は、画像処理部１０５を制御して、撮影済みシーンに対応した代表画像を表示部１０７に表示する。また、、未撮影シーンについては、マイコン１０１は、ＲＯＭ１０２を制御して、対応するシナリオのシーンに対応するイメージデータを画像処理部１０５に出力する。その後、マイコン１０１は、画像処理部１０５を制御して、未撮影シーンのイメージデータ（イラストや文字画像でも良い）を表示部１０７に表示する。なお、表示内容や処理はＳ２０４と同様である。その後、ユーザによる表示部へのタッチ操作を待機して、ユーザのタッチ操作が有ったと判断すると、Ｓ７０４にすすむ。
【００５６】
Ｓ７０４では、マイコン１０１は、Ｓ７０３にて、ユーザーが撮影済みのシーンを選択したか、未撮影のシーンを選択したかを判断する。撮影済みシーンが選択された場合はＳ７０５へ進む。また、未撮影のシーンが選択された場合はＳ７０９に進む。
【００５７】
Ｓ７０５では、マイコン１０１は、記録媒体１０６を制御して、動画情報をＲＡＭ１０３に展開し、Ｓ７０３にてユーザーが選択したシーンが最後に撮影されたシーンかを判断する。動画情報とは、例えばＡＶＣ−ＨＤならば、リアルプレイリスト等の管理情報であり、リアルプレイリストの最後のシーンが最後に撮影したシーンである。また、管理情報がない動画形式では、動画像ファイルの更新日時が最新のものが、最後に撮影したシーンとなる。
【００５８】
Ｓ７０６では、マイコン１０１は、ＲＡＭ１０３に保存されているシナリオデータを元に、Ｓ７０３で選択されたシーンとその前後のシーンを再生し、表示部に表示する。このＳ７０６の詳細については、図８のフローチャートを使用して詳細に説明していく。その後、Ｓ７０７へ進む。
【００５９】
Ｓ８０１では、マイコン１０１はＲＡＭ１０３に保存されているシナリオデータを元に、Ｓ７０３で選択されたシーンの前方にシーンがあるかを判断する。前方にシーンがあればＳ８０２へ進む。また、前方にシーンがなければＳ８０５へ進む。
【００６０】
Ｓ８０２では、マイコン１０１はＲＡＭ１０３に保存されているシナリオデータを元に、Ｓ７０３で選択されたシーンの後方にシーンがあるかを判断する。後方にシーンがあればＳ８０２へ進む。また、後方にシーンがなければＳ８０５へ進む。
【００６１】
Ｓ８０３では、マイコン１０１は、記録媒体１０６を制御して、Ｓ７０３で選択されたシーンの前方のシーンと、Ｓ７０３で指定されたシーンの画像データを画像処理部１０５に出力する。画像処理部１０５は、入力された画像データをデコードして、表示部１０７へ出力して、動画像再生を行う。その後、終了する。なお、画像処理部１０５に出力するＳ７０３で選択されたシーンの前方のシーンの画像データは、Ｓ７０３で選択されたシーンの前方のシーンの終盤部分の一部の画像データでも良いし、Ｓ７０３で選択されたシーンの前方のシーンの画像データ全てでもよい。
【００６２】
Ｓ８０４では、マイコン１０１は、記録媒体１０６を制御して、Ｓ７０３で選択されたシーンの前方のシーンと、Ｓ７０３で指定されたシーンと、Ｓ７０３で指定されたシーンの後方のシーンの画像データを画像処理部１０５に出力する。画像処理部１０５は、入力された画像データをデコードして、表示部１０７へ出力して、動画像再生を行う。その後、終了する。なお、画像処理部１０５に出力するＳ７０３で選択されたシーンの前方のシーンの画像データは、Ｓ７０３で選択されたシーンの前方のシーンの終盤の一部の画像データでも良いし、Ｓ７０３で選択されたシーンの前方のシーンの画像データ全てでもよい。ただしシーンが長時間の動画像で有る場合も有るので、そのような場合には、終盤の一部分を表示するのが、その後の撮影処理をスムーズに行う上でも好都合であろう。また、画像処理部１０５に出力するＳ７０３で選択されたシーンの後方のシーンの画像データについても、Ｓ７０３で選択されたシーンの後方のシーンの先頭部分の一部の画像データでも良いし、Ｓ７０３で選択されたシーンの後方のシーンの画像データ全てでもよい。ただしシーンが長時間の動画像で有る場合も有るので、そのような場合には、先頭の一部分を表示するのが、その後の撮影処理をスムーズに行う上でも好都合であろう。
【００６３】
Ｓ８０５では、マイコン１０１はＲＡＭ１０３に保存されているシナリオデータを元に、Ｓ７０３で選択されたシーンの後方にシーンがあるかを判断する。後方にシーンがあればＳ８０６へ進む。また、後方にシーンがなければＳ８０７へ進む。
【００６４】
Ｓ８０６では、マイコン１０１は、記録媒体１０６を制御して、Ｓ７０３で指定されたシーンと、Ｓ７０３で指定されたシーンの後方のシーンの画像データを画像処理部１０５に出力する。画像処理部１０５は、入力された画像データをデコードして、表示部１０７へ出力して、動画像再生を行う。その後、終了する。なお、画像処理部１０５に出力するＳ７０３で選択されたシーンの後方のシーンの画像データについても、Ｓ７０３で選択されたシーンの後方のシーンの先頭の一部の画像データでも良いし、Ｓ７０３で選択されたシーンの後方のシーンの画像データ全てでもよい。
【００６５】
Ｓ８０７では、マイコン１０１は、記録媒体１０６を制御して、Ｓ７０３で指定されたシーンの画像データを画像処理部１０５に出力する。画像処理部１０５は、入力された画像データをデコードして、表示部１０７へ出力して、動画像再生を行う。その後、終了して、Ｓ７０７に戻る。
【００６６】
このＳ７０６の具体例を、図３のシナリオデータに適用してみる。記録媒体１０６内のシナリオデータは図３のような状態であり、最後に撮影したシーンが“プレゼント交換”であったとする。このような状態の際、Ｓ７０３により、“プレゼント交換”が選択された際は、“プレゼント交換“の前方には、撮影済みのシーン（”主役入場“のシーン）がある為、”主役入場“（画像Ｎｏ３）のシーンと、”プレゼント交換“（画像Ｎｏ２）のシーンを再生する。それ以外、例えば”主役入場“が選択された際は、”主役入場“のみを再生する。
【００６７】
また、記録媒体１０６内のシナリオデータは図３のような状態であり、最後に撮影したシーンが“主役入場”であったとする。このような状態の際、Ｓ７０３により、“主役入場”が選択された際、“主役入場”の後方には、撮影済みのシーン（プレゼント交換のシーン）がある為、“主役入場”（画像Ｎｏ３）のシーンと、“プレゼント交換”（画像Ｎｏ２）のシーンを再生する。それ以外、例えば“プレゼント交換”が選択された際は、“プレゼント交換”のみを再生する。
【００６８】
最後に、記録媒体１０６内のシナリオデータは図３のような状態であり、“ケーキ消灯”を撮影した後に、Ｓ７０３で“ケーキ消灯”が選択された場合、“ケーキ消灯”のシーンの前方の“プレゼント交換”と、後方の“記念撮影”を再生する。例えば“プレゼント交換”が選択された際は、“プレゼント交換”のみを再生する。
【００６９】
Ｓ７０７では、マイコン１０１は、画像処理部１０５を制御して、Ｓ７０３で選択したシーンを再度撮りなおすか？という質問の旨の表示データを生成し、表示部１０７に再撮影を指示するための指示画面を出力する。ユーザーは表示部１０７を見ながら、タッチセンサー１１０にタッチする。タッチセンサー１１０は、マイコン１０１に対してどの領域にタッチされたかを出力する。この出力情報を元に、マイコン１０１は表示部１０７の表示領域とタッチセンサー１１０のタッチされた領域を比較して、ユーザーがシーンを撮り直すと選択したか、撮り直さないと選択したかを判断する。また、シーンを取り直すか、撮り直さないかの選択は、リモコン受信部１０９を通じてリモコン操作で選択する事も可能である。この際、リモコン受信部１０９は、リモコンより、リモコンコードを受信して、マイコン１０１にリモコン情報を出力する。マイコン１０１はリモコン受信部１０９より入力されたリモコンコードより、どちらが選択されているかを判断する。
【００７０】
最後に撮影したシーンが“プレゼント交換”で、かつＳ７０３で“プレゼント交換”が選択された場合、表示部１０７に表示されるＵＩを図９に示す。９０１に示すように、Ｓ７０３で選択したシーンを再度撮影しなおすかの旨の指示画面と、９０２で示すように、Ｓ７０３で選択したシーンの代表画像と、９０３のように、Ｓ７０３で選択したシーンを再度撮影しなおすかを選択するアイコンを表示する。その後Ｓ７０８へ進む。
【００７１】
Ｓ７０８では、マイコン１０１は、Ｓ７０７にて、シーンを取り直すと選択したか、シーンを取り直さないと選択したかを判断する。シーンを取りなおすと選択されたと判断した際はＳ７０９へ進む。シーンを取りなおさないと判断した際は、Ｓ７０３に戻る。
【００７２】
Ｓ７０９では、Ｓ７０３で選択されたシーンのシナリオ撮影モードに遷移する。例えば、Ｓ７０３で選択されたシーンが“プレゼント交換”の際は、“プレゼント交換”とこれから撮影するシーンが関連付けされる撮影モードにはいる。関連付けの方法としては、Ｓ２０２に示した通りである。
【００７３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００７４】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００７５】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７６】
その場合、プログラムの機能を有していれば、オブジェクトコード、インタプリタにより実行されるプログラム、ＯＳに供給するスクリプトデータ等、プログラムの形態を問わない。
【００７７】
プログラムを供給するための記録媒体としては、例えば、ハードディスク、磁気テープ等の磁気記録媒体、光記憶媒体、不揮発性の半導体メモリでもよい。
【００７８】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００７９】
１０１  マイコン
１０２  ＲＯＭ
１０３  ＲＡＭ
１０４  撮影部
１０５  画像処理部
１０６  記録媒体
１０７  表示部
１０８  操作部
１０９  リモコン受信部
１１０  タッチセンサー
１１１  撮影装置
【図１】
2015002417.tif 000003
【図２】
2015002417.tif 000004
【図３】
2015002417.tif 000005
【図４】
2015002417.tif 000006
【図５】
2015002417.tif 000007
【図６】
2015002417.tif 000008
【図７】
2015002417.tif 000009
【図８】
2015002417.tif 000010
【図９】
2015002417.tif 000011